(57)【要約】【解決する課題】本考案は、点滴バッグを懸架した点滴用架台を移動させた場合に、内管が外管の内壁に当たって金属音を発しない点滴用架台を提供するものである。【課題を解決する手段】下端部にキャスターを有する外管６と、上端部に点滴バッグを吊架するフック２が設けられたアーム１を有する内管３よりなる点滴用架台において、前記外管６に挿入する内管３の挿入端部に取着するための緩衝用キャップ９を外管６に挿入する内管３の末端部に冠着することによって、点滴用架台を移動させても内管３の末端部が外管６の内壁に直接当たらず、点滴用架台を移動させてもキャップ９の緩衝作用により、金属音を発生しない点滴用架台とすることができる。【選択図】図３
0003096876.tif 000002
【実用新案登録請求の範囲】
【請求項１】
下端部にキャスターを有する外管と、上端部に点滴用バッグを吊架するフックが設けられたアームを有する内管よりなる点滴用架台において、前記外管に挿入する内管の挿入端部に取着するための緩衝用キャップ。
【請求項２】
下端部にキャスターを有する外管と、上端部に点滴バッグを吊架するフックが設けられたアームを有する内管よりなる点滴用架台において、前記外管に挿入する内管の挿入端部に緩衝用キャップを取着したことを特徴とする点滴用架台。
【考案の詳細な説明】
【０００１】
【考案の属する技術分野】
本考案は、病院等で使用される点滴バッグ等を吊架するための点滴用架台に関する。
【０００２】
【従来の技術】
従来、点滴用架台としては、下端部にキャスターの着設された外管に、上端部に点滴バッグを吊り下げるフックが設けられたアームを有する内管が挿入された形状のものが使用されている。外管に内管を挿入した点滴用架台は患者の背丈やベッドに高さを調節するためには、外管に挿入された内管を上下に摺動させて適当な高さで、ネジを締めて固定する方法が用いられている。この場合に、内管が外管内を摺動する時の抵抗を少なくするために、内管の外径は外管の内径よりも細くなっている。このために、点滴瓶を吊り下げる際や、患者が点滴用架台を押して移動する場合に、内管が外管の管壁に当たり金属音を発して、安眠中の患者等に迷惑がかかっている。
【０００３】
点滴用架台については特許文献１があるが、特許文献１の点滴用架台は、外管の下端部に設けられているキャスターの取付方法がＵ字状の脚部基台が開示されている。このＵ字状の脚部基台の形状は点滴バッグを吊り下げるときに、下端部のキャスター部が邪魔にならないように、脚部基台がＵ字状に開いていることを特徴としている。しかし、上記のような移動の際に内管が外管の管壁に当たって発生する音を防止するための記載はない。このように、点滴用架台を移動させる時に、内管が外管の管壁に当たって発生する音を防止した点滴用架台は未だなく、その出現が望まれている。
【０００４】
【特許文献１】特願２００１−１２９０５７号公報（第２頁段落［０００３］）
【０００５】
【考案が解決しようとする課題】
本考案は、上記事実に鑑み、点滴バッグを懸架した点滴用架台を移動させた場合に、内管が外管の内壁に当たって金属音を発しない点滴用架台を提供するものである。
【０００６】
【課題を解決するための手段】
上記課題を解決するために、種々検討を加えた結果、外管に挿入する内管の末端部にキャップを取り付けることによって、点滴用架台を移動させても、内管が外管の内壁に当たって金属音を発しない点滴用架台とすることができた。
【０００７】
本考案の第１の特徴は、下端部にキャスターを有する外管と、上端部に点滴バッグを吊架するフックが設けられたアームを有する内管よりなる点滴用架台において、前記外管に挿入する内管の挿入端部に取着するための緩衝用キャップである。既存の点滴用架台の外管に挿入する内管の末端部にキャップを冠着して挿入することによって、点滴用架台を移動させても内管の末端部が外管の内壁に直接当たらず、点滴用架台を移動させてもキャップの緩衝作用により、金属音を発生しない点滴用架台とすることができる。
【０００８】
本考案の第２の特徴は、下端部にキャスターを有する外管と、上端部に点滴バッグを吊架するフックが設けられたアームを有する内管よりなる点滴用架台において、前記外管に挿入する内管の挿入端部に緩衝用キャップを取着したことを特徴とする点滴用架台である。予め外管に挿入する内管の末端部にキャップを冠着させておくことによって、点滴用架台を移動させても、内管の末端部が外管の内壁に直接当たらず、キャップの緩衝作用により静かな点滴用架台を提供することができる。
【０００９】
【考案の実施の態様】
本考案の実施の態様を以下に図面に基づいて説明するが、本考案の要旨の範囲内において以下の実施例に限定されるものではない。
【００１０】
点滴用架台は点滴用バッグを吊架するフック部分、キャスターを取着する脚部基台の形状は種々異なっているが、一般的な点滴用架台の形状は図１に示すような形状をしている。図１に示す点滴用架台１０の内管３の上部にはアーム１が着設されている。このアーム１の先端部に点滴用バッグを吊架するフック２が設けられている。内管３を挿入する外管６の上端部には雌ネジタイプのプロテクトコネクター５が着設されている。外管の上端部に着設されているプロテクトコネクター５はねじ込み式であっても、ビス止め式であってもよい。この雌ネジタイプのプロテクトコネクター５にはストッパー用ネジ４が螺着されており、このストッパー用ネジ４で内管３を締め付けることによって点滴用架台１０の高さを任意位置で固定することができる。ベッドの脇に寄せる場合や、患者が点滴をしながら移動するために、外管６の下端部に着設された脚部基台７にはキャスター８が回動自在に着設されている。
【００１１】
本考案の点滴用架台１０のキャップ９は図２に示すように、内管３の端部に被せるための穴９ｂと外管６の内壁を摺動する凸部９ａが設けられている。キャップ９に設ける凸部９ａは外管６の内壁を摺動するに際して、抵抗を少なくするものであり、その形状は特に限定されるものではなく、図２−Ａ、図２−Ｂ等の形状が例示できる。
【００１２】
図２−Ａに示すキャップの形状は、内管３に取着する部分９ｂは外管６の内径よりも細く、外管６の内壁に接触する部分９ｄは外管の内径よりも少し太い凸部を設けて、さらに、凸部と凸部の間に切り込み９ｅを入れることによってバネ効果を持たせたものである。中央部には空気が抜けるための孔９ｃが設けられている。
【００１３】
図２−Ｂに示すキャップの形状は、外形は上部から下部まで同形状とし、キャップの上端、下端は外管６に出し入れしやすいように丸みを持たせたものである。キャップ９の上部に内管３の挿入端部が挿入される穴９ｂを設け、中央部に空気が抜けるための孔９ｃが設けられている。キャップ９の下部は弾力性を得るために穴９ｄが設けられている。
【００１４】
内管３の挿入端部にキャップ９を被せる場合は、内管３の管璧より受ける衝撃を緩衝するために、キャップ９の上部の穴８ｂに座金を入れてから、内管３の挿入端部に取着されている。キャップ９の材質は天然ゴムや合成ゴムであってもよい。材質は特に限定されるものではないが、外管６に挿入された内管３が、点滴バッグの高さを調節するために、外管６内を内管３が頻繁に上下動させたり、ストッパー用のネジ４を緩めた時に手が滑って内管３が外管６の管底に突き当たることも考慮して、緩衝用に用いられるキャップには弾力性と耐久性が求められ、弾力性と耐久性を有する合成樹脂が望ましい。
【００１５】
内管３の挿入端部にキャップ９を取着して固定する場合は、内管３が外管６内を摺動する頻度が高いために、キャップ９が離脱しないよう内管３の挿入端部に接着剤で強固に接着固定することが望ましい。接着剤はキャップ９の材質を痛めないものであればよく、特に限定されるものではない。
【００１６】
外管６に内管３を挿入して高さを調節するために、ストッパー用ネジ４を螺着する雌ネジタイプのプロテクトコネクター５（図２ーＣ）を外管６の上端部に取り付ける。プロテクトコネクター５の取り付け方法はねじ込み式であってもビス止め式であっても良い。図２−Ｃに示すプロテクトコネクター５はビス止め式で、５ｄの位置にビス用の孔が穿設されたプロテクトコネクター５を例示している。プロテクトコネクター５の上部５ａは内管３の挿入部位であり、５ｂは外管６に内管３を固定するための雄ネジを螺着するための孔である。５ｃは外管６に挿入する部位であり、プロテクトコネクター５を外管６の上端部に挿入して５ｄの位置で外管６の外壁にビスで少なくとも４箇所で固定される。ねじ込み式の場合は、ビスの代わりにプロテクトコネクター５の５ｃの内壁にネジが切られ、これに螺合する外管６の外壁の位置にネジが切られているものである。
【００１７】
図３は内管３を外管６へ挿入する際の内管３の挿入端部にキャップ９を取着した状態を示す。まず、内管３にプロテクトコネクター５を挿入してから、内管３の挿入端部にキャップ９を取着して、内管３の挿入端部から外管６に挿入し、プロテクトコネクター５を外管６の上端部に冠着し、ビス止め式の場合はビスで固定し、ねじ込み式の場合はネジを回してしっかりと固定する。次いで、内管３を外管６に挿入し、プロテクトコネクター５を外管６にビス又はネジを回してしっかりと固定する。点滴バッグの高さを調節する場合は、内管３を持ってストッパー用ネジ４を緩めて、外管６内を上下に摺動させて点滴バッグを所望の位置になるように調節し、ストッパー用のネジ４を締め付けて固定する。
【００１８】
【考案の効果】
上端部に点滴バッグを吊架するフックが設けられたアームを有する内管と下端部にキャスターを有する外管よりなる点滴用架台に、内管の挿入端部にキャップを取着することによって、内管を外管に挿入して高さを調節した後、点滴用架台を移動させても、内管の挿入端部が外管の内壁に当たって金属音を生じることがなく、点滴用架台を静かに移動させることができる。キャップはプロテクトコネクターを有する点滴用架台であれば、既存の点滴用架台にも容易に取着することができる。
【図面の簡単な説明】
【図１】点滴用架台の正面図。
【図２】キャップとプロテクトコネクターの上面図と断面図。
【図３】点滴用架台の部分斜視図。
【符号の説明】
１０：点滴用架台
１：アーム
２：フック
３：内管
４：ストッパー用ネジ
５：プロテクトコネクター
６：外管
７：脚部基台
８：キャスター
９：キャップ
【図１】
0003096876.tif 000003
【図２】
0003096876.tif 000004
【図３】
0003096876.tif 000005
【手続補正書】
【提出日】平成15年4月2日(2003.4.2)
【手続補正１】
【補正対象書類名】明細書
【補正対象項目名】全文
【補正方法】変更
【補正の内容】
【考案の詳細な説明】
【実用新案登録請求の範囲】
【請求項１】下端部にキャスターを有する外管と、上端部に点滴用バッグを吊架するフックが設けられたアームを有する内管よりなる点滴用架台において、前記外管に挿入する内管の挿入端部に取着するための緩衝用キャップ。
【請求項２】下端部にキャスターを有する外管と、上端部に点滴バッグを吊架するフックが設けられたアームを有する内管よりなる点滴用架台において、前記外管に挿入する内管の挿入端部に緩衝用キャップを取着したことを特徴とする点滴用架台。
【考案の詳細な説明】
【０００１】
【考案の属する技術分野】
本考案は、病院等で使用される点滴バッグ等を吊架するための点滴用架台に関する。
【０００２】
【従来の技術】
従来、点滴用架台としては、下端部にキャスターの着設された外管に、上端部に点滴バッグを吊り下げるフックが設けられたアームを有する内管が挿入された形状のものが使用されている。外管に内管を挿入した点滴用架台は患者の背丈やベッドに高さを調節するためには、外管に挿入された内管を上下に摺動させて適当な高さで、ネジを締めて固定する方法が用いられている。この場合に、内管が外管内を摺動する時の抵抗を少なくするために、内管の外径は外管の内径よりも細くなっている。このために、点滴瓶を吊り下げる際や、患者が点滴用架台を押して移動する場合に、内管が外管の管壁に当たり金属音を発して、安眠中の患者等に迷惑がかかっている。
【０００３】
点滴用架台については特許文献１があるが、特許文献１の点滴用架台は、外管の下端部に設けられているキャスターの取付方法がＵ字状の脚部基台が開示されている。このＵ字状の脚部基台の形状は点滴バッグを吊り下げるときに、下端部のキャスター部が邪魔にならないように、脚部基台がＵ字状に開いていることを特徴としている。しかし、上記のような移動の際に内管が外管の管壁に当たって発生する音を防止するための記載はない。このように、点滴用架台を移動させる時に、内管が外管の管壁に当たって発生する音を防止した点滴用架台は未だなく、その出現が望まれている。
【０００４】
【特許文献１】特願２００１−１２９０５７号公報（第２頁段落［０００３］）
【０００５】
【考案が解決しようとする課題】
本考案は、上記事実に鑑み、点滴バッグを懸架した点滴用架台を移動させた場合に、内管が外管の内壁に当たって金属音を発しない点滴用架台を提供するものである。
【０００６】
【課題を解決するための手段】上記課題を解決するために、種々検討を加えた結果、外管に挿入する内管の末端部に緩衝用キャップを取り付けることによって、点滴用架台を移動させても、内管が外管の内壁に当たって金属音を発しない点滴用架台とすることができた。
【０００７】
本考案の第１の特徴は、下端部にキャスターを有する外管と、上端部に点滴バッグを吊架するフックが設けられたアームを有する内管よりなる点滴用架台において、前記外管に挿入する内管の挿入端部に取着するための緩衝用キャップである。既存の点滴用架台の外管に挿入する内管の末端部に緩衝用キャップを冠着して挿入することによって、点滴用架台を移動させても内管の末端部が外管の内壁に直接当たらず、点滴用架台を移動させても緩衝用キャップの緩衝作用により、金属音を発生しない点滴用架台とすることができる。
【０００８】
本考案の第２の特徴は、下端部にキャスターを有する外管と、上端部に点滴バッグを吊架するフックが設けられたアームを有する内管よりなる点滴用架台において、前記外管に挿入する内管の挿入端部に緩衝用キャップを取着したことを特徴とする点滴用架台である。予め外管に挿入する内管の末端部に緩衝用キャップを冠着させておくことによって、点滴用架台を移動させても、内管の末端部が外管の内壁に直接当たらず、緩衝用キャップの緩衝作用により静かな点滴用架台を提供することができる。
【０００９】
【考案の実施の態様】
本考案の実施の態様を以下に図面に基づいて説明するが、本考案の要旨の範囲内において以下の実施例に限定されるものではない。
【００１０】
点滴用架台は点滴用バッグを吊架するフック部分、キャスターを取着する脚部基台の形状は種々異なっているが、一般的な点滴用架台の形状は図１に示すような形状をしている。図１に示す点滴用架台１０の内管３の上部にはアーム１が着設されている。このアーム１の先端部に点滴用バッグを吊架するフック２が設けられている。内管３を挿入する外管６の上端部には雌ネジタイプのプロテクトコネクター５が着設されている。外管の上端部に着設されているプロテクトコネクター５はねじ込み式であっても、ビス止め式であってもよい。この雌ネジタイプのプロテクトコネクター５にはストッパー用ネジ４が螺着されており、このストッパー用ネジ４で内管３を締め付けることによって点滴用架台１０の高さを任意位置で固定することができる。ベッドの脇に寄せる場合や、患者が点滴をしながら移動するために、外管６の下端部に着設された脚部基台７にはキャスター８が回動自在に着設されている。
【００１１】
本考案の点滴用架台１０の緩衝用キャップ９は図２に示すように、内管３の端部に被せるための穴９ｂと外管６の内壁を摺動する凸部９ａが設けられている。緩衝用キャップ９に設ける凸部９ａは外管６の内壁を摺動するに際して、抵抗を少なくするものであり、その形状は特に限定されるものではなく、図２−Ａ、図２−Ｂ等の形状が例示できる。
【００１２】
図２−Ａに示す緩衝用キャップの形状は、内管３に取着する部分９ｂは外管６の内径よりも細く、外管６の内壁に接触する部分９ｄは外管の内径よりも少し太い凸部を設けて、さらに、凸部と凸部の間に切り込み９ｅを入れることによってバネ効果を持たせたものである。中央部には空気が抜けるための孔９ｃが設けられている。
【００１３】
図２−Ｂに示す緩衝用キャップの形状は、外形は上部から下部まで同形状とし、緩衝用キャップの上端、下端は外管６に出し入れしやすいように丸みを持たせたものである。緩衝用キャップ９の上部に内管３の挿入端部が挿入される穴９ｂを設け、中央部に空気が抜けるための孔９ｃが設けられている。緩衝用キャップ９の下部は弾力性を得るために穴９ｄが設けられている。
【００１４】
内管３の挿入端部に緩衝用キャップ９を被せる場合は、内管３の管璧より受ける衝撃を緩衝するために、緩衝用キャップ９の上部の穴８ｂに座金を入れてから、内管３の挿入端部に取着されている。緩衝用キャップ９の材質は天然ゴムや合成ゴムであってもよい。材質は特に限定されるものではないが、外管６に挿入された内管３が、点滴バッグの高さを調節するために、外管６内を内管３が頻繁に上下動させたり、ストッパー用のネジ４を緩めた時に手が滑って内管３が外管６の管底に突き当たることも考慮して、緩衝用に用いられる緩衝用キャップには弾力性と耐久性が求められ、弾力性と耐久性を有する合成樹脂が望ましい。
【００１５】
内管３の挿入端部に緩衝用キャップ９を取着して固定する場合は、内管３が外管６内を摺動する頻度が高いために、緩衝用キャップ９が離脱しないよう内管３の挿入端部に接着剤で強固に接着固定することが望ましい。接着剤は緩衝用キャップ９の材質を痛めないものであればよく、特に限定されるものではない。
【００１６】
外管６に内管３を挿入して高さを調節するために、ストッパー用ネジ４を螺着する雌ネジタイプのプロテクトコネクター５（図２ーＣ）を外管６の上端部に取り付ける。プロテクトコネクター５の取り付け方法はねじ込み式であってもビス止め式であっても良い。図２−Ｃに示すプロテクトコネクター５はビス止め式で、５ｄの位置にビス用の孔が穿設されたプロテクトコネクター５を例示している。プロテクトコネクター５の上部５ａは内管３の挿入部位であり、５ｂは外管６に内管３を固定するための雄ネジを螺着するための孔である。５ｃは外管６に挿入する部位であり、プロテクトコネクター５を外管６の上端部に挿入して５ｄの位置で外管６の外壁にビスで少なくとも４箇所で固定される。ねじ込み式の場合は、ビスの代わりにプロテクトコネクター５の５ｃの内壁にネジが切られ、これに螺合する外管６の外壁の位置にネジが切られているものである。
【００１７】
図３は内管３を外管６へ挿入する際の内管３の挿入端部に緩衝用キャップ９を取着した状態を示す。まず、内管３にプロテクトコネクター５を挿入してから、内管３の挿入端部に緩衝用キャップ９を取着して、内管３の挿入端部から外管６に挿入し、プロテクトコネクター５を外管６の上端部に冠着し、ビス止め式の場合はビスで固定し、ねじ込み式の場合はネジを回してしっかりと固定する。次いで、内管３を外管６に挿入し、プロテクトコネクター５を外管６にビス又はネジを回してしっかりと固定する。点滴バッグの高さを調節する場合は、内管３を持ってストッパー用ネジ４を緩めて、外管６内を上下に摺動させて点滴バッグを所望の位置になるように調節し、ストッパー用のネジ４を締め付けて固定する。
【００１８】
【考案の効果】
上端部に点滴バッグを吊架するフックが設けられたアームを有する内管と下端部にキャスターを有する外管よりなる点滴用架台に、内管の挿入端部に緩衝用キャップを取着することによって、内管を外管に挿入して高さを調節した後、点滴用架台を移動させても、内管の挿入端部が外管の内壁に当たって金属音を生じることがなく、点滴用架台を静かに移動させることができる。緩衝用キャップはプロテクトコネクターを有する点滴用架台であれば、既存の点滴用架台にも容易に取着することができる。
【図面の簡単な説明】
【図１】点滴用架台の正面図。
【図２】緩衝用キャップとプロテクトコネクターの上面図と断面図。
【図３】点滴用架台の部分斜視図。
【符号の説明】
１０：点滴用架台
１：アーム
２：フック
３：内管
４：ストッパー用ネジ
５：プロテクトコネクター
６：外管
７：脚部基台
８：キャスター
９：緩衝用キャップ
【手続補正書】
【提出日】平成15年6月17日(2003.6.17)
【手続補正１】
【補正対象書類名】明細書
【補正対象項目名】実用新案登録請求の範囲
【補正方法】変更
【補正の内容】
【実用新案登録請求の範囲】
【請求項１】
下端部にキャスターを有する外管と、上端部に点滴用バッグを吊架するフックが設けられたアームを有する内管よりなる点滴用架台において、前記外管に挿入する内管の挿入端部に取着するための緩衝用キャップであって、内管に取着する部分と、外管の内壁を摺動する凸部を有し、内管に取着する部分は外管の内径よりも細く、外管の内壁を摺動する凸部は外管の内径よりも少し太く、中央部に空気を抜くための孔が設けられていることを特徴とする緩衝用キャップ。
【請求項２】
下端部にキャスターを有する外管と、上端部に点滴バッグを吊架するフックが設けられたアームを有する内管よりなる点滴用架台において、前記外管に挿入する内管の挿入端部に請求項１に記載の緩衝用キャップを取着したことを特徴とする点滴用架台。